(57)【要約】【課題】着用者の体格にかかわらず、膝当ての位置が着用者の膝の位置に一致するようにすることができるオーバーオールを提供する【解決手段】オーバーオール１は、人の右脚を覆うように布地で筒状に形成された右脚部２と、右脚部２に装着された右膝当て５と、一端が右脚部２に固定された右調節紐７，８と、右脚部２と一体に設けられ、右調節紐７，８が挿入された挿入穴１１とを備え、右脚部２の開口が形成されている両端のうち裾側の端を下端とし、もう一方の端を上端として、挿入穴１１は、右膝当て５よりも上端の側に配置され、右調節紐７，８の一端は、挿入穴１１よりも下端の側に配置される。【選択図】図１
0003185826.tif 000002
【実用新案登録請求の範囲】
【請求項１】
人の右脚および左脚の一方を覆うように布地で筒状に形成された脚部と、
前記脚部に装着された膝当てと、
一端が前記脚部に固定された紐状部材と、
前記脚部と一体に設けられ、前記紐状部材が挿入された貫通穴を有する紐挿入部とを備え、
前記脚部の開口が形成されている両端のうち裾側の端を下端とし、もう一方の端を上端として、
前記紐挿入部の前記貫通穴は、前記膝当てよりも前記上端の側に配置され、
前記紐状部材の前記一端は、前記貫通穴よりも前記下端の側に配置される
ことを特徴とするオーバーオール。
【請求項２】
前記紐状部材は２本である
ことを特徴とする請求項１に記載のオーバーオール。
【請求項３】
前記貫通穴は、
前記脚部の前記布地に形成される
ことを特徴とする請求項１または請求項２に記載のオーバーオール。
【考案の詳細な説明】
【技術分野】
【０００１】
本考案は、膝当てが設けられたオーバーオールに関する。
【背景技術】
【０００２】
従来、園芸、掃除および農業等で作業する際に着衣が汚れないようにするために、着衣の上から直接着ることができるように作られたオーバーオールが知られている（例えば、特許文献１を参照）。そして、このようなオーバーオールを着用した人が膝を付いて作業するときに膝を痛めないようにするために、オーバーオールに膝当てが設けられることがある。
【先行技術文献】
【特許文献】
【０００３】
【特許文献１】特開２００３−６４５０８号公報
【考案の概要】
【考案が解決しようとする課題】
【０００４】
しかし、膝当てが設けられたオーバーオールにおいて、一着のオーバーオールで様々な体格の人が着用できるようにオーバーオールのサイズを大きくすると、着用者の体格によっては、膝当ての位置が着用者の膝の位置とずれてしまうことがあるという問題があった。
【０００５】
本考案は、こうした問題に鑑みてなされたものであり、着用者の体格にかかわらず、膝当ての位置が着用者の膝の位置に一致するようにすることができるオーバーオールを提供することを目的とする。
【課題を解決するための手段】
【０００６】
上記目的を達成するためになされた請求項１に記載のオーバーオールは、人の右脚および左脚の一方を覆うように布地で筒状に形成された脚部と、脚部に装着された膝当てと、一端が脚部に固定された紐状部材と、脚部と一体に設けられ、紐状部材が挿入された貫通穴を有する紐挿入部とを備え、脚部の開口が形成されている両端のうち裾側の端を下端とし、もう一方の端を上端として、紐挿入部の貫通穴は、膝当てよりも上端の側に配置され、紐状部材の一端は、貫通穴よりも下端の側に配置されることを特徴とする。
【０００７】
このように構成された請求項１に記載のオーバーオールでは、紐状部材における脚部に固定されていない側の端部を紐挿入部の貫通穴から遠ざけるようにして紐状部材を引っ張ることにより、紐状部材における脚部に固定されている側の端部（以下、紐状部材の固定端という）が紐挿入部の貫通穴に近付く。そして、紐挿入部の貫通穴は、膝当てよりも上端の側に配置され、紐状部材の固定端は貫通穴よりも下端の側に配置されている。このため、紐状部材を引っ張ることにより、紐挿入部の貫通穴と紐状部材の固定端との間で脚部の布地が捲れ、膝当てが紐挿入部の貫通穴に近付く。このように、紐状部材を引っ張る量に応じて、膝当ての位置を調節することができる。このため、請求項１に記載のオーバーオールによれば、着用者の体格にかかわらず、膝当ての位置が着用者の膝の位置に一致するようにすることができる。
【０００８】
また、請求項１に記載のオーバーオールにおいて、請求項２に記載のように、紐状部材が２本であるようにしてもよい。これにより、２本の紐状部材を引っ張ることにより膝当ての位置を調節した後に、結び目が紐挿入部の貫通穴内を通過しないようにして２本の紐状部材を結ぶことで、調節後の膝当ての位置を固定することができる。このように、紐状部材を２本設けることにより、膝当ての位置を固定するための特別な部材を別途設けることなく、膝当ての位置を固定することができる。
【０００９】
また、請求項１または請求項２に記載のオーバーオールにおいて、請求項３に記載のように、貫通穴が脚部の布地に形成されるようにしてもよい。これにより、紐状部材を挿入するための特別な部材を別途設けることなく、紐状部材を貫通穴に挿入することができる。
【図面の簡単な説明】
【００１０】
【図１】人がオーバーオール１を着用した状態を示す斜視図である。
【図２】右膝当て５の位置を調節する方法を説明する図である。
【考案を実施するための形態】
【００１１】
以下に本考案の実施形態について図面とともに説明する。
オーバーオール１は、撥水加工された布地（本実施形態ではポリエステル）で形成され、図１に示すように、右脚部２、左脚部３、胴部４、右膝当て５、左膝当て６、右調節紐７，８および左調節紐９，１０を備える。
【００１２】
右脚部２は、オーバーオール１を着用する人（以下、着用者という）の右脚を覆う部分であり、内部に右脚を挿入可能となるように筒状に形成されている。左脚部３は、着用者の左脚を覆う部分であり、内部に左脚を挿入可能となるように筒状に形成されている。そして右脚部２と左脚部３は、着用者の股下より上方で互いに縫い付けられることにより、右脚部２と左脚部３とが一体となり、股下より上方で着用者の腰周りを覆うことができるように筒状に形成される。
【００１３】
胴部４は、着用者の胴体を覆う部分であり、右脚部２および左脚部３における股上側の開口部に縫い付けられている。胴部４が右脚部２および左脚部３に縫い付けられることにより、右脚部２、左脚部３および胴部４が一体となり、オーバーオール１の本体を形成する。
【００１４】
右膝当て５および左膝当て６は、弾性を有する材料を用いてシート状に形成されており、それぞれ右脚部２および左脚部３の表面側に装着されている。なお、本実施形態の右膝当て５および左膝当て６は、表面にキルティング加工が施された当て布と、当て布の裏側に縫い付けられたクッション材（本実施形態では中綿）とにより構成されている。
【００１５】
右調節紐７，８は、右膝当て５の位置を調節するために右脚部２に設けられている紐状部材である。右調節紐７，８は、右脚部２に形成された挿入穴１１に挿入されることにより、右調節紐７，８の一部分は右脚部２の表面側に配置されるとともに、右調節紐７，８の残りの部分は右脚部２の裏面側に配置される。なお、右脚部２の裏面側に配置されている右調節紐７，８の端部（図１の端部７ａ，８ａを参照）は、挿入穴１１よりも右脚部２の裾側で右脚部２に固定されている。
【００１６】
左調節紐９，１０は、左膝当て６の位置を調節するために左脚部３に設けられている紐状部材である。左調節紐９，１０は、左脚部３に形成された挿入穴１２に挿入されることにより、左調節紐９，１０の一部分は左脚部３の表面側に配置されるとともに、左調節紐９，１０の残りの部分は左脚部３の裏面側に配置される。なお、左脚部３の裏面側に配置されている左調節紐９，１０の端部は、挿入穴１２よりも左脚部３の裾側で左脚部３に固定されている。
【００１７】
次に、右膝当て５および左膝当て６の位置を調節する方法を説明する。
図２（ａ）に示すように、右脚部２の表面側から右調節紐７，８を引っ張ることにより（矢印Ａ１を参照）、右調節紐７，８のうち右脚部２の表面側に配置されている部分が長くなるほど、挿入穴１１と端部７ａ，８ａとの間の距離が短くなる。そして上述のように、右調節紐７，８において右脚部２の裏面側に配置されている端部７ａ，８ａが右脚部２に固定されている。このため、図２（ｂ）に示すように、挿入穴１１と端部７ａ，８ａとの間の距離が短くなるほど、挿入穴１１と端部７ａ，８ａとの間の布地が捲れ、挿入穴１１と右膝当て５との間の距離が短くなる（矢印Ａ２を参照）。このように、右調節紐７，８を引っ張る量に応じて、右膝当て５の位置を調節することができる。そして、右膝当て５の位置を決定した後に、右調節紐７と右調節紐８とを結ぶことにより（図２（ｂ）における右側の右調節紐７，８を参照）、右膝当て５の位置を固定する。
【００１８】
同様に、左脚部３の表面側から左調節紐９，１０を引っ張ることにより、左調節紐９，１０を引っ張る量に応じて、左膝当て６の位置を調節することができる。
このように構成されたオーバーオール１は、人の右脚を覆うように布地で筒状に形成された右脚部２と、右脚部２に装着された右膝当て５と、一端が右脚部２に固定された右調節紐７，８と、右脚部２と一体に設けられ、右調節紐７，８が挿入された挿入穴１１とを備え、右脚部２の開口が形成されている両端のうち裾側の端を下端とし、もう一方の端を上端として、挿入穴１１は、右膝当て５よりも上端の側に配置され、右調節紐７，８の一端は、挿入穴１１よりも下端の側に配置される。
【００１９】
またオーバーオール１は、人の左脚を覆うように布地で筒状に形成された左脚部３と、左脚部３に装着された左膝当て６と、一端が左脚部３に固定された左調節紐９，１０と、右脚部２と一体に設けられ、左調節紐９，１０が挿入された挿入穴１２とを備え、左脚部３の開口が形成されている両端のうち裾側の端を下端とし、もう一方の端を上端として、挿入穴１２は、左膝当て６よりも上端の側に配置され、左調節紐９，１０の一端は、挿入穴１２よりも下端の側に配置される。
【００２０】
このようにオーバーオール１では、右調節紐７，８における右脚部２に固定されていない側の端部を紐挿入部の挿入穴１１から遠ざけるようにして右調節紐７，８を引っ張ることにより、右調節紐７，８における右脚部２に固定されている側の端部（以下、右調節紐７，８の固定端という）が挿入穴１１に近付く。そして、挿入穴１１は、右膝当て５よりも上端の側に配置され、右調節紐７，８の固定端は挿入穴１１よりも下端の側に配置されている。このため、右調節紐７，８を引っ張ることにより、挿入穴１１と右調節紐７，８の固定端との間で右脚部２の布地が捲れ、右膝当て５が挿入穴１１の貫通穴に近付く。
【００２１】
同様に、左調節紐９，１０における左脚部３に固定されていない側の端部を紐挿入部の挿入穴１２から遠ざけるようにして左調節紐９，１０を引っ張ることにより、左調節紐９，１０における左脚部３に固定されている側の端部（以下、左調節紐９，１０の固定端という）が挿入穴１２に近付く。そして、挿入穴１２は、左膝当て６よりも上端の側に配置され、右調節紐７，８の固定端は挿入穴１２よりも下端の側に配置されている。このため、左調節紐９，１０を引っ張ることにより、挿入穴１２と左調節紐９，１０の固定端との間で左脚部３の布地が捲れ、左膝当て６が挿入穴１２の貫通穴に近付く。
【００２２】
このように、右調節紐７，８を引っ張る量に応じて、右膝当て５の位置を調節することができるとともに、左調節紐９，１０を引っ張る量に応じて、左膝当て６の位置を調節することができる。このため、オーバーオール１によれば、着用者の体格にかかわらず、右膝当て５および左膝当て６の位置が着用者の右膝および左膝の位置に一致するようにすることができる。
【００２３】
また、右調節紐７，８および左調節紐９，１０はそれぞれ２本で構成されている。これにより、右調節紐７，８（左調節紐９，１０）を引っ張ることにより右膝当て５（左膝当て６）の位置を調節した後に、結び目が挿入穴１１（挿入穴１２）内を通過しないようにして右調節紐７，８（左調節紐９，１０）を結ぶことで、調節後の右膝当て５（左膝当て６）の位置を固定することができる。このように、右調節紐（左調節紐）を２本設けることにより、右膝当て５（左膝当て６）の位置を固定するための特別な部材を別途設けることなく、右膝当て５（左膝当て６）の位置を固定することができる。
【００２４】
また、挿入穴１１および挿入穴１２がそれぞれ右脚部２および左脚部３の布地に形成されている。これにより、右調節紐（左調節紐）を挿入するための特別な部材を別途設けることなく、右調節紐（左調節紐）を挿入穴１１（挿入穴１２）に挿入することができる。
【００２５】
以上説明した実施形態において、右脚部２と左脚部３は本考案における脚部、右膝当て５と左膝当て６は本考案における膝当て、右調節紐７，８と左調節紐９，１０は本考案における紐状部材、挿入穴１１，１２は本考案における貫通穴および紐挿入部である。
【００２６】
以上、本考案の一実施形態について説明したが、本考案は上記実施形態に限定されるものではなく、本考案の技術的範囲に属する限り種々の形態を採ることができる。
例えば上記実施形態では、２本の調節紐を結ぶことにより膝当ての位置を固定するものを示した。しかし、膝当ての位置を固定する方法は２本の調節紐を結ぶものに限定されるものではない。例えば、右脚部２（左脚部３）の表面側に配置されている右調節紐７（左調節紐９）を挿入穴１１（挿入穴１２）の付近でクリップで摘むことにより、右膝当て５（左膝当て６）の位置を固定するようにしてもよい。
【００２７】
また上記実施形態では、右脚部２および左脚部３の布地に挿入穴１１および挿入穴１２が設けられているものを示した。しかし、挿入穴が形成されている部材を右脚部２および左脚部３に取り付けるようにしてもよい。
【符号の説明】
【００２８】
１…オーバーオール、２…右脚部、３…左脚部、４…胴部、５…右膝当て、６…左膝当て、７，８…右調節紐、９，１０…左調節紐、１１，１２…挿入穴
【図１】
0003185826.tif 000003
【図２】
0003185826.tif 000004